(57)【特許請求の範囲】
【請求項１】
電子部品の実装に必要となる接着剤を吐出する電子部品接着用ディスペンサーであって、
接着剤を収容する接着剤収容容器と、
前記接着剤収容容器の先端に備わるノズルと、
前記接着剤収容容器内部において上下移動可能な押出しピンと、
前記押出しピンに押出し圧力を加える圧力部材と、を備え、
前記ノズルは、
本体部と、
前記本体部の内部に設けられて、前記接着剤が供給される内部空間と、
前記内部空間から前記本体部の先端に向けて設けられた吐出用貫通孔と、を備え、
前記吐出用貫通孔は、前記内部空間からの接着剤が注入される注入入口と、前記内部空間からの接着剤を外部に吐出する吐出出口とを有し、
前記吐出出口の直径は、５０μｍ以下であり、
前記内部空間に供給される前記接着剤は、吐出圧力を受けて、前記注入入口に注入されて前記吐出用貫通孔を通過し、前記吐出出口から吐出され、
前記本体部は、タングステンを主原料とする超硬合金により形成され、
前記内部空間と前記接着剤収容容器の内部空間とは連通しており、前記接着剤収容容器に収容されている前記接着剤が、前記内部空間に供給され、
前記押出しピンの押し出しが、前記吐出圧力を生じさせ、
前記吐出用貫通孔の内部表面は、摩擦低下のための表面処理が施されており、
前記電子部品は、前記吐出出口の直径に対応する小型であり、前記吐出出口は、当該小型の電子部品に対応する微細な量および吐出直径の接着剤を吐出する、電子部品接着用ディスペンサー。
【請求項２】
前記圧力部材は、圧力の付与により前記押出しピンを押出し、
前記圧力部材により押し出された前記押出しピンは、前記ノズルの前記内部空間内部に入り込み、
前記内部空間に入り込んだ前記押出しピンは、前記内部空間の接着剤を押し出すことで、前記内部空間の接着剤に対して前記吐出圧力を付与する、請求項１記載の電子部品接着用ディスペンサー。
【請求項３】
前記圧力部材は、ピエゾ素子を含む、請求項１または２記載の電子部品接着用ディスペンサー。
【請求項４】
前記圧力部材を制御する圧力部材制御部を更に備え、
前記圧力部材制御部は、前記圧力部材による圧力付与を、所定タイミングに基づいて行わせる、請求項１から３のいずれか記載の電子部品接着用ディスペンサー。
【請求項５】
前記圧力部材は、圧力付与のタイミングでは、前記押出しピンを押し出し、
前記圧力部材は、圧力付与以外のタイミングでは、前記押出しピンを引き戻し、
前記押出しピンが引き戻されている期間において、前記接着剤収容容器から前記内部空間に接着剤が供給され、
前記押出しピンが押し出されている期間において、前記内部空間に入り込んだ前記押出しピンが、接着剤に吐出圧力を付与することで、
前記圧力部材の制御に基づいて、前記ノズルの前記吐出出口から、接着剤の吐出のサイクルが実現される、請求項４記載の電子部品接着用ディスペンサー。
【請求項６】
前記接着剤収容容器に接着剤を供給する供給機構を更に備える、請求項１から５のいずれか記載の電子部品接着用ディスペンサー。
【請求項７】
前記吐出用貫通孔において、前記吐出出口の直径は、前記注入入口の直径より小さい、請求項１から６のいずれか記載の電子部品接着用ディスペンサー。
【請求項８】
前記注入入口の直径は、前記吐出出口の直径よりも１０％以上大きい、請求項７記載の電子部品接着用ディスペンサー。
【請求項９】
前記吐出用貫通孔は、前記注入入口から前記吐出出口にかけて次第に内径が小さくなっていく、請求項１から８のいずれか記載の電子部品接着用ディスペンサー。
【請求項１０】
前記吐出出口の直径は、４０μｍ以下である、請求項１から９のいずれか記載の電子部品接着用ディスペンサー。
【請求項１１】
前記吐出出口の直径は、３０μｍ以下である、請求項１から９のいずれか記載の電子部品接着用ディスペンサー。
【請求項１２】
前記吐出用貫通孔は、機械加工で穿孔されて形成される、請求項１から１１のいずれか記載の電子部品接着用ディスペンサー。
【請求項１３】
前記吐出用貫通孔の内部表面の表面処理は、摩擦を低下させる表面剤の塗布、メッキ処理、コーティング処理もしくは磨き処理のいずれかによる、請求項１から１２のいずれか記載の電子部品接着用ディスペンサー。
【発明の詳細な説明】
【技術分野】
【０００１】
本発明は、電子部品を実装基板などの接着する際に接着剤を吐出する電子部品接着用ディスペンサーに関する。
【背景技術】
【０００２】
電子機器、精密機器、輸送機器、工作機械などの機器や機械においては、様々な電子部品が多数用いられる。あるいは、組み込まれる部品だけでなく、必要に応じて取り付けられたり組み合わされたりする多種多様な部品が必要である。このような電子部品は、電子機器や精密機器に装着される実装基板に実装される。
【０００３】
ここで、実装基板に実装される電子部品は、半導体素子、ＬＳＩ、光学素子、ディスクリートの電子部品や電子素子など様々である。これらの電子部品は、きわめて小型化・高性能化している現状がある。特に、近年の電子機器には多くのセンサー素子が実装される。これは電子機器だけでなく自動車のような輸送機器であったり、工場などで使用される工作機械などであったりしても同様である。近年の様々な機械や機器は、このような多くのセンサー素子を実装している。自動運転や遠隔操作などを実現するために、多くの部位に多くのセンサー素子を必要とするからである。
【０００４】
また、センサー素子だけでなく、これらの機械や機器は、電子的動作を行うために多くの電子部品を備えている。これらの電子部品の多くは、機械や機器に装着される実装基板に実装される。電子部品は、半田のような導電性ペーストや各種の接着剤で実装基板に実装される。このとき、実装のための導電性ペーストや接着剤（以下、必要に応じて「接着剤」として総称する）を、実装基板に塗布する必要がある。
【０００５】
このような接着剤を塗布するには、様々なやり方がある。例えば、接着剤を吐出する接着剤ディスペンサーなどが使用されている。このような電子部品の実装に必要となる接着剤の塗布について、いくつかの技術が提案されている（例えば、特許文献１参照）。
【先行技術文献】
【特許文献】
【０００６】
【特許文献１】特開２０１８−１０１８１５号公報
【特許文献２】特開２０１９−５８８８６号公報
【特許文献３】特開２００５−３３４７３３号公報
【発明の概要】
【発明が解決しようとする課題】
【０００７】
特許文献１は、部品供給部のフィーダベースに他のパーツフィーダとともに装着された清掃部材フィーダから、搭載ヘッド９によって清掃用部材２２を取り出して保持した状態でディスペンサユニット６の吐出ノズル４６と接する位置に移動させ、清掃用部材２２を水平往復動させる所定パターンの清掃動作を搭載ヘッド９に実行させて吐出ノズル４６の清掃を行う。これにより、ディスペンサユニット６によるペーストＰの塗布を安定させるために必要とされる保守清掃作業を、効率よく適切に行うことができる電子部品実装装置を開示する。
【０００８】
特許文献１は、ディスペンサーによって接着剤を吐出して、電子部品の実装を可能とする技術を開示している。
【０００９】
しかしながら、近年の電子機器や輸送機器においては、非常に多くの電子部品が実装される。また、電子部品の大きさも非常に小型化や微細化しており、実装基板に吐出するべき接着剤も非常に少量である。また、非常にピンポイントな狭小領域に正確に接着剤を吐出する必要がある。この吐出する領域、吐出量、隣接する吐出領域との間隔の確保などについて、よりシビアな精度が求められるようになっている。
【００１０】
特許文献１では、このようなシビアな精度に対する対応力を有していない問題がある。
【００１１】
特許文献２は、ノズルユニット（１００）であって、先端（１０ａ）から液体（Ｌ）を吐出するセラミック材からなるノズル（１０）と、ノズルをはめあい寸法にて保持する保持部品（２０）と、ノズルのテーパ部（３１）を利用して、ノズルの先端が出るように固定するための固定部品（３０）と、を備え、保持部品と固定部品を螺合することでノズルを固定することを特徴とするノズルユニットを、開示する。
【００１２】
特許文献３は、ノズル孔１が、軸心直交方向のノズル先端面２に開口する開口部３に向かって、孔横断面積がしだいに減少するテーパ状吐出孔部４を有し、ストレート状孔部を介さずにテーパ状吐出孔部４の最先端が開口部３に連続している。また、テーパ状吐出孔部４の縦断面の傾斜角度θが、60度以上 100度以下になるように設定されているノズルを開示する。
【００１３】
特許文献２、３は、特許文献２と同じ問題を有している。
【００１４】
接着剤ディスペンサーは、その先端に接着剤を吐出するノズルを備えている。このノズルに接着剤を送り出して、圧力によって、ノズルの先端から接着剤を吐出させる。吐出させることで電子基板において電子部品が接着される場所に接着剤を設置することができる。
【００１５】
上述したように現在では小型で多数の電子部品を高速に実装することが求められている。一つの電子基板に多数のセンサーなどの電子部品が実装される必要があったり、電子基板の様々な場所に複数の電子部品が実装される必要があったりする。
【００１６】
また、自動での実装装置において、非常に高速かつ確実に電子部品の実装（接着）が行われる必要がある。このため、接着剤を吐出するノズルには、非常に大きな負荷が加わる。このため、ノズルが変形したり破損したりして、交換やメンテナンスコストが増大する問題がある。加えて、破損や変形によって、接着剤ディスペンサーから吐出される接着剤が、電子部品を実装すべき位置に正確に吐出できなくなる問題もある。小型の電子部品かつ高密度実装であることで、接着剤の吐出位置の精度は、非常に高く要求される。特許文献２、３は、これらの要求に対応できない。
【００１７】
さらには、ノズルの破損などによって、接着剤ディスペンサーから接着剤が液漏れしてしまうなどの問題にもつながりかねない。液漏れすると、電子基板の不要な場所に接着剤が塗布されてしまい、好ましくない状況になる問題もある。
【００１８】
このような問題もあり、特許文献１〜３をはじめとした従来技術は、細かな精度で効率的に接着剤を吐出する要望に対応できない問題があった。特に、ピンポイントでかつ狭小領域に適切な量の接着剤を吐出することが困難である問題があった。この問題があるために、多数の非常に小型の電子部品を実装するための接着剤を吐出して高速の実装を行うのが難しい問題があった。
【００１９】
加えて、従来技術では、吐出するノズル部分の精度が低く、吐出用に充てんされる接着剤が目詰まりを起こしてしまう問題もあった。また、接着剤を吐出する貫通孔の微細化ができていないために、吐出される接着剤の量が多くなりすぎてしまい、小型の電子部品の実装に不向きである問題がある。あるいは、電子部品の実装に適した範囲や場所に最適な量の接着剤を吐出することが困難である問題がある。場合によっては、本来吐出するべき位置に接着剤が吐出できないなどの問題があった。
【００２０】
また、ノズルそのものの耐久性も低い問題があった。このため頻繁にノズルや吐出機構を交換しなければならない問題もあった。この問題により、電子部品の実装に係るコストが増加する問題にもつながっていた。また、上述するように、ノズルの破損などに起因する問題もあった。
【００２１】
本発明は、以上の問題に鑑み、高い精度で狭小領域に最適量の接着剤を吐出できる電子部品接着用ディスペンサーを提供することを目的とする。
【課題を解決するための手段】
【００２２】
上記課題を解決するために、本発明の電子部品接着用ディスペンサーは、電子部品の実装に必要となる接着剤を吐出する電子部品接着用ディスペンサーであって、
接着剤を収容する接着剤収容容器と、
前記接着剤収容容器の先端に備わるノズルと、
前記接着剤収容容器内部において上下移動可能な押出しピンと、
前記押出しピンに押出し圧力を加える圧力部材と、を備え、
前記ノズルは、
本体部と、
前記本体部の内部に設けられて、前記接着剤が供給される内部空間と、
前記内部空間から前記本体部の先端に向けて設けられた吐出用貫通孔と、を備え、
前記吐出用貫通孔は、前記内部空間からの接着剤が注入される注入入口と、前記内部空間からの接着剤を外部に吐出する吐出出口とを有し、
前記吐出出口の直径は、５０μｍ以下であり、
前記内部空間に供給される前記接着剤は、吐出圧力を受けて、前記注入入口に注入されて前記吐出用貫通孔を通過し、前記吐出出口から吐出され、
前記本体部は、タングステンを主原料とする超硬合金により形成され、
前記内部空間と前記接着剤収容容器の内部空間とは連通しており、前記接着剤収容容器に収容されている前記接着剤が、前記内部空間に供給され、
前記押出しピンの押し出しが、前記吐出圧力を生じさせ、
前記吐出用貫通孔の内部表面は、摩擦低下のための表面処理が施されており、
前記電子部品は、前記吐出出口の直径に対応する小型であり、前記吐出出口は、当該小型の電子部品に対応する微細な量および吐出直径の接着剤を吐出する。
【発明の効果】
【００２３】
本発明の電子部品接着用ディスペンサーは、非常に小型の電子部品に対応する狭小領域に、高い精度で接着剤を吐出できる。このとき、吐出すべき位置、領域、量において最適なレベルで、接着剤を吐出できる。
【００２４】
また、高い耐久性を有しているので、繰り返しの使用にも対応できる。ノズルの破損や損傷までの耐久性を高くでき、電子部品接着用ディスペンサーのメンテナンスコストやメンテナンス時間を低減できる。結果として、電子部品実装のコストを低減できる。
【図面の簡単な説明】
【００２５】
【図１】本発明の実施の形態における電子部品接着用ディスペンサーの側面図である。
【図２】本発明の実施の形態における電子部品接着用ディスペンサーに用いるノズルの写真である。
【図３】本発明の実施の形態におけるノズルの横断面図である。
【図４】本発明の実施の形態におけるロングタイプのノズルの側面図である。
【図５】本発明の実施の形態におけるノズルの断面図である。
【図６】本発明の実施の形態におけるノズルの断面図である。
【図７】本発明の実施の形態における実装機構に取り付けられた電子部品接着用ディスペンサーの斜視図である。
【図８】本発明の実施の形態における電子部品接着用ディスペンサーの模式図である。
【図９】本発明の実施の形態における吐出と非吐出のサイクルを示すタイミングチャートである。
【発明を実施するための形態】
【００２６】
本発明の第１の発明に係る電子部品接着用ディスペンサーは、電子部品の実装に必要となる接着剤を吐出する電子部品接着用ディスペンサーであって、
接着剤を収容する接着剤収容容器と、
前記接着剤収容容器の先端に備わるノズルと、
前記接着剤収容容器内部において上下移動可能な押出しピンと、
前記押出しピンに押出し圧力を加える圧力部材と、を備え、
前記ノズルは、
本体部と、
前記本体部の内部に設けられて、前記接着剤が供給される内部空間と、
前記内部空間から前記本体部の先端に向けて設けられた吐出用貫通孔と、を備え、
前記吐出用貫通孔は、前記内部空間からの接着剤が注入される注入入口と、前記内部空間からの接着剤を外部に吐出する吐出出口とを有し、
前記吐出出口の直径は、５０μｍ以下であり、
前記内部空間に供給される前記接着剤は、吐出圧力を受けて、前記注入入口に注入されて前記吐出用貫通孔を通過し、前記吐出出口から吐出され、
前記本体部は、超硬合金により形成され、
前記内部空間と前記接着剤収容容器の内部空間とは連通しており、前記接着剤収容容器に収容されている前記接着剤が、前記内部空間に供給され、
前記押出しピンの押し出しが、前記吐出圧力を生じさせる。
【００２７】
この構成により、耐久性に優れたノズルによる接着剤の連続的な吐出を可能とできる。また、微細な吐出位置への正確な吐出も可能とできる。加えて、吐出用貫通孔の吐出軸の精度も高まり、吐出される接着剤の量や吐出直径の最適化が図られる。
【００２８】
本発明の第２の発明に係る電子部品接着用ディスペンサーでは、第１の発明に加えて、前記圧力部材は、圧力の付与により前記押出しピンを押出し、
前記圧力部材により押し出された前記押出しピンは、前記ノズルの前記内部空間内部に入り込み、
前記内部空間に入り込んだ前記押出しピンは、前記内部空間の接着剤を押し出すことで、前記内部空間の接着剤に対して前記吐出圧力を付与する。
【００２９】
この構成により、ディスペンサーは、必要なタイミングで接着剤を吐出させることができる。
【００３０】
本発明の第３の発明に係る電子部品接着用ディスペンサーでは、第１または第２の発明に加えて、前記圧力部材は、ピエゾ素子を含む。
【００３１】
この構成により、高い精度での吐出制御を行える。
【００３２】
本発明の第４の発明に係る電子部品接着用ディスペンサーでは、第１から第３のいずれかの発明に加えて、前記圧力部材を制御する圧力部材制御部を更に備え、
前記圧力部材制御部は、前記圧力部材による圧力付与を、所定タイミングに基づいて行わせる。
【００３３】
この構成により、接着剤の吐出タイミングを、適切にコントロールできる。
【００３４】
本発明の第５の発明に係る電子部品接着用ディスペンサーでは、第４の発明に加えて、前記圧力部材は、圧力付与のタイミングでは、前記押出しピンを押し出し、
前記圧力部材は、圧力付与以外のタイミングでは、前記押出しピンを引き戻し、
前記押出しピンが引き戻されている期間において、前記接着剤収容容器から前記内部空間に接着剤が供給され、
前記押出しピンが押し出されている期間において、前記内部空間に入り込んだ前記押出しピンが、接着剤に吐出圧力を付与することで、
前記圧力部材の制御に基づいて、前記ノズルの前記吐出出口から、接着剤の吐出のサイクルが実現される。
【００３５】
この構成により、接着剤の吐出が確実になされる。
【００３６】
本発明の第６の発明に係る電子部品接着用ディスペンサーでは、第１から第５のいずれかの発明に加えて、前記接着剤収容容器に接着剤を供給する供給機構を更に備える。
【００３７】
この構成により、接着剤の吐出を長時間にわたって行わせることができる。
【００３８】
本発明の第７の発明に係る電子部品接着用ディスペンサーでは、第１から第６のいずれかの発明に加えて、前記吐出用貫通孔において、前記吐出出口の直径は、前記注入入口の直径より小さい。
【００３９】
この構成により、吐出される接着剤をよりピンポイントな位置に適切な量で吐出することができる。
【００４０】
本発明の第８の発明に係る電子部品接着用ディスペンサーでは、第７の発明に加えて、前記注入入口の直径は、前記吐出出口の直径よりも１０％以上大きい。
【００４１】
この構成により、より微細な部位に接着剤を吐出することができる。
【００４２】
本発明の第９の発明に係る電子部品接着用ディスペンサーでは、第１から第８のいずれかの発明に加えて、前記吐出用貫通孔は、前記注入入口から前記吐出出口にかけて次第に内径が小さくなっていく。
【００４３】
この構成により、最適な微小位置に確実に接着剤を吐出できる。
【００４４】
本発明の第１０の発明に係る電子部品接着用ディスペンサーでは、第１から第９のいずれかの発明に加えて、前記吐出出口の直径は、４０μｍ以下である。
【００４５】
この構成により、非常に微細な量の接着剤を吐出できる。
【００４６】
本発明の第１１の発明に係る電子部品接着用ディスペンサーでは、第１から第９のいずれかの発明に加えて、前記吐出出口の直径は、３０μｍ以下である。
【００４７】
この構成により、非常に微細な量の接着剤を吐出できる。
【００４８】
本発明の第１２の発明に係る電子部品接着用ディスペンサーでは、第１から第１１のいずれかの発明に加えて、前記吐出用貫通孔は、機械加工で穿孔されて形成される。
【００４９】
この構成により、精度の高い吐出用貫通孔を形成できる。
【００５０】
本発明の第１３の発明に係る電子部品接着用ディスペンサーでは、第１から第１２のいずれかの発明に加えて、前記吐出用貫通孔の内部表面は、摩擦低下のための表面処理が施されている。
【００５１】
この構成により、吐出用貫通孔において接着剤が目詰まりするなどを防止できる。
【００５２】
以下、図面を用いて、本発明の実施の形態について説明する。
【００５３】
（実施の形態）
【００５４】
実施の形態について説明する。
【００５５】
（全体概要）
図１は、本発明の実施の形態における電子部品接着用ディスペンサーの側面図である。内部構造が分かるように透視状態で示している。
【００５６】
電子部品接着用ディスペンサー１００は、本体となる接着剤収容容器１１０と、接着剤収容容器１１０の先端に備わるノズル１と、接着剤収容容器１１０内部において上下移動可能な押出しピン１２０と、押出しピン１２０に押出し圧力を加える圧力部材１３０とを備える。これらの組み合わせによって電子部品接着用ディスペンサー１００が構成される。
【００５７】
ノズル１が先端に備わっており、電子部品接着用ディスペンサー１００の動作によって、ノズル１から電子部品を実装するための接着剤が吐出される。吐出された接着剤が、必要な部位に塗布されて、この接着剤の上に電子部品が接着されて実装が行われる。
【００５８】
なお、吐出される接着剤は、化学的な接着剤でもよいし、半田のような導電性接着剤であってもよい。
【００５９】
図１では、吐出された吐出接着剤２００が示されている。吐出接着剤２００は、ノズル１から吐出された接着剤である。
【００６０】
接着剤収容容器１１０の内部空間１１１には、接着剤が供給されて収容されている。この内部空間１１１は、ノズル１の内部空間３と連通している。この連通により、接着剤収容容器１１０の内部空間１１１に収容されている接着剤は、ノズル１の内部空間３に供給される。
【００６１】
押出しピン１２０は、接着剤収容容器１１０の内部空間１１１に備わっている。図１の矢印Ａのように上下方向（図１で上下方向であり、電子部品接着用ディスペンサー１００の設置方向によって物理的な上下方向ではなく、接着剤を発射する方向に沿った方向）に移動可能である。圧力部材１３０は、押出しピン１２０に押出し圧力を付与できる。
【００６２】
圧力部材１３０が押出しピン１２０に押出し圧力を付与すると、押出しピン１２０は、ノズル１の方向に移動する。このとき、押出しピン１２０の先端は、ノズル１の内部空間３に入り込む。この入り込みによって、内部空間３にある接着剤に対して吐出圧力を付与できる。
【００６３】
この吐出圧力によって、内部空間３にある接着剤は、吐出用貫通孔４を通じて吐出される。このとき、吐出用貫通孔４に内部空間３から押し出された接着剤が入り、吐出用貫通孔４の吐出出口４２は、図１のように接着剤を吐出する。
【００６４】
圧力部材１３０による押出し圧力が解放されると、押出しピン１２０は、圧力部材１３０側に戻る。すなわち、内部空間３から戻る。この戻りによって、内部空間３には、接着剤収容容器１１０の内部空間１１１から接着剤が供給される。
【００６５】
内部空間３に接着剤が供給された後で、再び圧力部材１３０が、押出しピン１２０に押出し圧力を付与する。再び、押出しピン１２０は、内部空間３に入り込んで、充填されている接着剤へ吐出圧力を付与する。再び、ノズル１から接着剤が吐出される。
【００６６】
電子部品接着用ディスペンサー１００は、圧力部材１３０による押出し圧力の付与と開放を繰り返すことで、接着剤の連続的な吐出を実現できる。
【００６７】
以下に、各部の詳細や機能について説明する。
【００６８】
（ノズル）
まず、実施の形態における電子部品接着用ディスペンサーを構成するノズルについて説明する。ノズルは、電子部品接着用ディスペンサーの先端に備わり、接着剤収容容器に収容されている接着剤を実際に吐出する。ノズルは、電子基板における電子部品の接着位置に、接着剤を吐出する。
図２は、本発明の実施の形態におけるノズルの写真である。図２は、ノズル１を斜め上から見た状態を示している。すなわち、本体部２の内部に設けられる内部空間３の方向から見た状態を示している。
【００６９】
図３は、本発明の実施の形態におけるノズルの横断面図である。ノズル１を後述する吐出量貫通孔４で切断した状態として示している。
【００７０】
ノズル１は、本体部２、内部空間３、吐出用貫通孔４を備える。本体部２は、ノズル１の外形を形成する。この外形によって、他の要素を付随させることで、本体部２は、ノズル１を構成できる。
【００７１】
内部空間３は、本体部２の内部に設けられた空間である。ノズル１は、接着剤収容容器からの接着剤の供給を受けてこれを吐出して、電子基板への電子部品の接着（実装）を実現する。この内部空間３は、接着剤の供給を受ける。すなわち、内部空間３に接着剤が供給（充填）される。内部空間３は、接着剤を受ける空間である。
【００７２】
吐出用貫通孔４は、内部空間３から本体部２の先端に向けて設けられた貫通孔である。吐出用貫通孔４は、内部空間３からの接着剤を吐出する。このとき、吐出用貫通孔４は、内部空間３からの接着剤が注入される注入入口４１と、この接着剤を外部に吐出する吐出出口４２を有している。
【００７３】
ここで、吐出出口４２の直径は５０μｍ以下である。
【００７４】
ノズル１は、図１のように電子部品接着用ディスペンサー１００に取り付けられる。このような構成とされた上で、内部空間３に接着剤が供給される。電子部品接着用ディスペンサー１００の機能によって、接着剤の供給および吐出させる吐出圧力を受ける。この吐出圧力を受けた接着剤は、内部空間３から吐出用貫通孔４を通じて外部に吐出される。このとき、内部空間３の接着剤が、注入入口４１に注入されて吐出用貫通孔４を通過する。通過した接着剤は、吐出出口４２から外部に吐出される。
【００７５】
図１に示す接着剤の吐出状態である。
【００７６】
ここで、電子基板に設定された電子部品の接着位置が存在し、吐出出口４２は、この接着位置に接着剤を吐出する。そのあとで、接着剤の上に電子部品が載せられて電子部品の実装が完了する。このとき、接着剤は、いわゆる樹脂や高分子素材の接着剤でもよいし、導電性の金属ペーストでもよい。これらは、電子部品の電子基板への実装の仕様によって定められれば良い。
【００７７】
吐出用貫通孔４を通じて吐出される接着剤は、吐出出口４２から最終的に吐出される。このとき、上述したように、吐出出口４２の直径は５０μｍ以下である。このため、非常に微細な量および吐出直径での接着剤を吐出できる。近年の電子部品は、非常に小型化している。半導体集積回路などの電子部品はもとより、各種機能を有するセンサーが小型化している。特に、自動車や輸送機器などは、自動運転などを目的とした様々かつ大量のセンサーを実装する傾向がある。
【００７８】
このような状況では、微細な量および吐出直径の接着剤の吐出が求められる。
【００７９】
吐出出口４２の直径が、５０μｍ以下であることで、求められる微細な量および吐出直径の接着剤の吐出を行うことができる。本発明のノズル１を用いることで、微細化している電子部品の実装を実現することができるようになる。
【００８０】
また、ノズル１の本体部２は、超硬合金により形成される。すなわち、本体部２は、超硬合金製である。超硬合金で形成されていることにより、ノズル１の強度や耐久性が向上する。この向上によって、連続的かつ多数の回数に渡って、接着剤が吐出される場合でも、ノズル１の破損や損傷が生じにくい。このため、メンテナンスコストを低減させることができる。勿論、交換までの必要期間を下げるメリットもある。
【００８１】
また、ノズル１の耐久性が高いことで、高い精度（特に微細な領域への接着剤の吐出）での接着剤の吐出を、維持することができる。このため、ある程度の期間において、正確な接着剤の吐出を継続でき、電子基板への電子部品の実装効率を向上・継続させることができる。
【００８２】
上述したように、非常に小型の電子部品を、実装装置において連続的に高速に実装する必要が生じている。実装される部品の電子基板での実装位置も様々であったり、実装装置での実装速度も向上させることが求められたりしている。
【００８３】
このような要求に対しては、非常に微細な量の接着剤を、正確な位置に吐出することが求められる。更に、連続的かつ高速な時間間隔で吐出することも求められる。結果として、吐出出口４２の直径が５０μｍ以下のように微細にされる必要がある。吐出出口４２の直径が微細になると、高い吐出圧力が必要となり、それだけノズル１の本体部２に負荷がかかる。これは、高速の連続吐出に基づいても同様である。
【００８４】
ノズル１の本体部２が超硬合金で形成されていることで、これらに対応できる。すなわち、高い負荷に対する耐久性が高まり、精度の高い吐出を、より長い期間で継続しやすくなる。結果として、メンテナンスコストを低下させ、実装そのものの歩留まりも向上させることができる。
【００８５】
従来技術では、ノズルの強度や耐久性についての開示や示唆がなく、またその課題解決の開示もなかった。これに対して、ノズル１が超硬合金であることで、従来技術では開示されていなかった技術的課題にも、本発明の電子部品接着用ノズル１００は、上述のように対応できる。
【００８６】
次に、ノズル１の各部の詳細やバリエーションについて説明する。
【００８７】
（本体部）
本体部２は、上述のように超硬合金によって形成されることが好適である。例えば、タングステンを主原料とする超硬合金などが用いられる。タングステンカーバイドがバインダで結合された合金であったり、炭化チタンなどが混合された合金であったりする。
【００８８】
本体部２が超硬合金で形成されていることにより、ノズル１の強度および耐久性が高まる。ノズル１は、大量の電子部品を接着するために、非常に多くの回数の繰り返し使用を受ける。また、動作間隔も非常に短い。このため、非常な負荷が加わる。接着剤の供給と吐出に加えて、吐出圧力も短間隔で次々と付与される。
【００８９】
本体部２が、超硬合金であることで、このような大きな負荷に対しても対応できるようになる。高い耐久性により、負荷の大きな使用に対応できる。
【００９０】
また、上述したように、ノズル１は、微細な量と吐出直径の接着剤を吐出することが求められる。このため、吐出用貫通孔４の内径、吐出軸の高い精度が求められる。吐出用貫通孔４は、本体部２の所定位置を穿孔されて形成されるかあるいは、張り合わせなどで形成されるか、型加工で形成されるかする。
【００９１】
このようにして形成される吐出用貫通孔４は、本体部２が超硬合金であることで、高い精度で形成されやすくなる。加えて、超硬合金であることで、形成された後でも、その形状や吐出軸が変形しにくいメリットもある。特に、高い負荷で繰り返し使用される状況では、吐出用貫通孔４の変形などの懸念がある。このような場合でも、本体部２が超硬合金で形成されている場合には、このような変形のリスクを大きく低減できるメリットがある。
【００９２】
また、本体部２は、金属紛体の焼結体で形成されることも好適である。このとき、タングステンカーバイドなどの超鋼金属素材の粉末が、他の粉末素材と混合された上で、焼結されて焼結体とされればよい。もちろん、他の金属素材が用いられてもよい。
【００９３】
このような金属紛体の焼結体で本体部２が形成されることで、本体部２を高い精度で製造することができる。また、焼結体とする際に、吐出用貫通孔４を設けてもよいし、焼結体となった後で、穿孔などにより吐出用貫通孔４を形成してもよい。いずれの場合でも、焼結体で本体部２が形成されることで、容易な形成ができるようになる。
【００９４】
また、焼結体であることで、本体部２の強度や耐久性が高まり、上述のような負荷の高い繰り返し使用に対する耐久性が高まるようになる。加えて、焼結体であることで、本体部２を適切な形状として形成することができる。例えば、図３のように、先端部が伸びている形状のノズル１を製造する必要があることもある。このような場合には、焼結体であることで、形状を高い精度で形成することが可能となる。もちろん、焼結体でなくともこのような形状の本体部２を形成することも可能である。
【００９５】
図４は、本発明の実施の形態におけるロングタイプのノズルの側面図である。図４は、この内部が分かるような断面図を示している。図４から分かるとおり、ロングタイプのノズル１も、内部空間３と吐出用貫通孔４が備わり、接着剤を吐出することができる。
【００９６】
このようなロングタイプのノズル１であることで、より正確かつ高い精度で接着剤を吐出することができる。また、より高密度実装をしなければならない場合に、先端部が伸びていることで、高密度実装に対応して接着剤を吐出することができる。
【００９７】
（内部空間）
内部空間３は、本体部２の内部に設けられた空間である。本体部２が形成される際に同時に内部空間３が形成されてもよい。あるいは、本体部２の内部が切削等されることで、内部空間３が形成されてもよい。
【００９８】
ノズル１は、接着剤を供給して吐出圧力を付与する装置に組み合されて使用される。この装置に組み合されると、装置から接着剤がこの内部空間３に供給される。また、この供給に合わせて、装置が内部空間３に吐出圧力を付与する。この付与を受けて、内部空間３は供給された接着剤を、内部空間３に連通する吐出用貫通孔４を通じて吐出する。
【００９９】
このとき、内部空間３に連通する吐出用貫通孔４は、内部空間３と注入入口４１がつながっている。この注入入口４１は、吐出用貫通孔４を通じて、吐出出口４２に繋がっている。
【０１００】
内部空間３は、本体部２の大きさに合わせた容積を有していればよい。また、吐出する接着剤の量や、その回数に合わせた容積を有していればよい。あるいは、吐出圧力を付与する装置との関係で決定されればよい。
【０１０１】
（吐出用貫通孔）
吐出用貫通孔４は、内部空間から圧力を受けて入り込む接着剤を、実際に吐出する。吐出する先は、電子部品を実装する電子基板の実装部位である。吐出用貫通孔４は、内部空間４からの接着剤が注入される注入入口４１と接着剤が吐出される吐出出口４２を備える。
【０１０２】
内部空間３に供給される接着剤は、吐出圧力を受けて注入入口４１に入る。そのまま吐出圧力を受けて接着剤は、吐出出口４２から吐出される。この吐出によって接着剤が、実装可能な状態として塗布される。
【０１０３】
ここで、図５のように、吐出用貫通孔４において、吐出出口４２の直径が注入入口４１の直径より小さいことも好適である。図５は、本発明の実施の形態におけるノズルの断面図である。吐出用貫通孔４の内部構造が分かるように示している。
【０１０４】
このとき、図６に示すように、吐出用貫通孔が段階的に吐出出口４２に向かうにつれて小さくなっていくことでもよい。図６は、本発明の実施の形態におけるノズルの断面図である。図６では、吐出用貫通孔４が２段階の形状を有して、吐出出口４２の直径が注入入口４１の直径よりも小さい。
【０１０５】
吐出出口４２の直径が、注入入口４１の直径より小さいことで、吐出用貫通孔４を通過して吐出される接着剤は、微細な量および吐出直径で吐出されやすくなる。特に、微細な吐出直径で吐出する際に、より高い精度で吐出させることができる。また、吐出する部位へ、より正しく吐出させることができる。
【０１０６】
また、吐出用貫通孔４は、注入入口４１から吐出出口４２に向けて次第に内径が小さくなっていく構造を有する。このような構造により、吐出用貫通孔４を移動する過程で、接着剤はより吐出すべき位置に正確に吐出されるようになる。すなわち、狙い通りの位置に吐出されるようになる。
【０１０７】
加えて、先端にかけて内径が次第に小さくなっていくことで、より微細な量と吐出直径での吐出も可能となる。
【０１０８】
ここで、注入入口４１の直径は、吐出出口４２の直径よりも１０％以上大きいことも好適である。例えば、注入入口４１の直径が５０μｍであるときに吐出出口４２の直径が４０μｍである。あるいは、注入入口４２の直径が４０μｍであるときに、吐出出口４２の直径が３０μｍである。
【０１０９】
このような大きさの差があることで、注入入口４１から吐出出口４２へ移動して吐出される接着剤は、微細な吐出直径で確実に吐出されるようになる。特に、微細な位置に確実に接着剤を吐出することができるようになる。接着剤が入る注入入口４１よりも吐出出口４２が小さいことで、吐出用貫通孔４を移動する際に、接着剤はより目標となる位置に吐出されやすくなるからである。
【０１１０】
ここで、吐出出口４２の直径は、４０μｍ以下であることも好適である。近年の電子部品の小型化は非常に進んでおり、このような小型の電子部品を電子基板に実装するには、４０μｍ以下の直径の吐出出口４２から接着剤が吐出されることが好ましい。
【０１１１】
吐出出口４２の直径が４０μｍ以下であることで、非常に小さな面積の部位に対応する接着剤を吐出できる。
【０１１２】
さらには、吐出出口４２の直径は、３０μｍ以下であることも好適である。更に小型の電子部品の実装において必要となる最適な量と部位への接着剤の吐出を可能とするからである。吐出出口４２の直径が３０μｍ以下であることで、より小型の電子部品の実装に適した接着剤の吐出を可能とできる。あるいは、より高密度実装に適した接着剤の吐出が可能である。
【０１１３】
（吐出用貫通孔のバリエーション）
吐出用貫通孔４は、本体部２において機械加工で穿孔されて形成されることも好適である。本体部２が形成された後で、内部空間３と吐出用貫通孔４が機械加工で形成されてもよい。機械加工によって穿孔されて吐出用貫通孔４が形成されることで、高い精度で吐出用貫通孔４が形成できる。
【０１１４】
従来技術で開示されるノズルでは、吐出用の孔での機械加工については開示も示唆もない。機械加工であることで、従来技術では形成困難であった微細で精度の高い吐出用貫通孔４が形成できる。
【０１１５】
また、上述したように、吐出用貫通孔４は、吐出出口４２に向けて次第に細くなっていくことも好適である。このような形状の場合にも、吐出用貫通孔４が機械加工で穿孔されることで実現が容易となる。また、機械加工で形成されることで、耐久性の高い吐出用貫通孔４を実現できる。加えて、非常に微細な直径の吐出用貫通孔４を実現することもできる。
【０１１６】
吐出用貫通孔４の内部表面は、摩擦低下のための表面処理が施されていることも好適である。この表面処理によって接着剤の吐出がより容易となる。吐出用貫通孔４内部で接着剤が詰まりにくくなり、最適な量と吐出直径での接着剤の吐出が確実に行える。また、目詰まりなどが生じにくいことで、ノズル１の耐久性や寿命延長に効果的である。
【０１１７】
摩擦低下の表面処理は、メッキ処理、コーティング処理や磨き処理（研磨処理）など様々な手段で実現されればよい。あるいは、摩擦を低下させる表面剤が塗布されることでもよい。摩擦力が低下することで、吐出圧力を受けた接着剤が、スムーズに吐出出口４２から吐出されるようになる。スムーズに吐出されれば、吐出すべき実装部位に高い精度で接着剤を吐出できる。この高い精度を維持することも可能となる。また、目詰まりなども防止でき、メンテナンスコストや負荷を低減できる。
【０１１８】
従来技術では、このような摩擦低下の表面処理については開示も示唆もない。すなわち、微細な量の接着剤を高い正確性をもって連続的に吐出することについての技術課題が想定されていない。本発明の電子部品接着用ディスペンサー１００のノズル１は、このような表面処理により、想定されていなかった技術課題を解決できている。
【０１１９】
（接着剤収容容器）
接着剤収容容器１１０は、電子部品接着用ディスペンサー１００の本体部を構成する。加えて、その内部空間１１１に接着剤を収容する。接着剤収容容器１１０は、その先端にノズル１を備えており、接着剤収容容器１１０の内部空間１１１とノズル１の内部空間３とは連通している。この連通により、内部空間１１１に収容されている接着剤は、ノズル１の内部空間３に移動する（内部空間３に供給される）。
【０１２０】
また、押出しピン１２０の上下移動の過程で、内部空間３には、内部空間１１１から接着剤が供給される。この供給によって、ノズル１の内部空間２には、接着剤が充填される状態となる。
【０１２１】
（供給機構）
図７は、本発明の実施の形態における実装機構に取り付けられた電子部品接着用ディスペンサーの斜視図である。
【０１２２】
接着剤収容容器１１０に接着剤を供給する供給機構１１５が、さらに備わっている。図７には、この供給機構１１５が示されている。供給機構１１５は、例えば、内部空間１１１に接続する管路であって、この管路により外部から接着剤を内部空間１１１に供給できる。
【０１２３】
供給機構１１５が備わることで、接着剤収容容器１１０の内部空間１１１には、常に接着剤が収容された状態を維持できる。これにより、電子基板に電子部品を実装する実装作業の長時間での連続性を確保できる。
【０１２４】
（押出しピン）
押出しピン１２０は、圧力部材１３０の圧力の付与と開放との繰り返しに対応して、上下移動（接着剤の吐出方向に沿った方向の移動）可能である。圧力部材１３０による押出し圧力が付与されると、押出しピン１２０はこれに伴って押し出される。この押し出しによって、図８のように、押出しピン１２０の先端は、ノズル１の内部空間３の中に入り込む。この入り込みによって、内部空間３に充填されている接着剤に吐出圧力を付与できる。
【０１２５】
図８は、本発明の実施の形態における電子部品接着用ディスペンサーの模式図である。押出しピン１２０が押し出されている状態を示している。圧力部材１３０が押し出した場合には、図８のような状態となって、吐出出口４２から接着剤が吐出されている。
【０１２６】
圧力部材１３０が押出し圧力を開放すると（停止すると）、押出しピン１２０は、引き戻される。引き戻されると、押出しピン１２０の先端が内部空間３への入り込みから外れて、内部空間３には内部空間１１１から接着剤が供給される。
【０１２７】
再び、圧力部材１３０が押出し圧力を付与すると、押出しピン１２０が内部空間３の接着剤に吐出圧力を付与する。これにより、再び接着剤が吐出出口４２から吐出される。
【０１２８】
（圧力部材）
圧力部材１３０は、押出しピン１２０に押出し圧力の付与と開放を繰り返す。あるサイクル（一定サイクルだけでなく、不定サイクルも含む）で、圧力部材１３０は、押出しピン１２０に押出し圧力を付与するタイミングと押出し圧力の開放（解除）を、繰り返す。この繰り返しによって、押出しピン１２０が、内部空間３に対して入り込みと遠隔との移動を繰り返す。この移動の繰り返しにより、内部空間３にある接着剤への吐出圧力の付与と、吐出圧力付与のない状態（内部空間３に接着剤を供給する状態）を、繰り返すことができる。
【０１２９】
すなわち、圧力部材１３０は、最終的に、接着剤の吐出と非吐出の期間を繰り返すことができる。
【０１３０】
ここで、圧力部材１３０は、ピエゾ素子を含むことも好適である。ピエゾ素子は、電圧を受けて、押出し圧力の付与と解除とを繰り返すことができる。これにより、押出しピン１２０を押し出したり引き戻したりを繰り返すことができる。
【０１３１】
特に、ピエゾ素子は電圧の付与により動作を変化させることができる。このため、動作制御が容易かつ正確となる。この正確な動作によって、吐出すべきタイミングで、正確に、接着剤を吐出させることができる。結果として、電子部品接着用ディスペンサーによる接着剤吐出を正確に行わせることができる。
【０１３２】
もちろん、ピエゾ素子以外が、圧力部材１３０に用いられてもよい。
【０１３３】
圧力部材１３０を制御する圧力部材制御部１５０を更に備えることも好適である。図８にあるように、圧力部材制御部１５０が、更に備わっている。圧力部材制御部１５０は、圧力部材１３０による押出し圧力の付与を、所定タイミングに基づいて行わせる。
【０１３４】
例えば、圧力部材１３０が、ピエゾ素子を含む場合には、圧力部材制御部１５０は、所定タイミングで電圧を付与する。この電圧付与によりピエゾ素子が動作して、押出しピン１２０に押出し圧力を付与できる。
【０１３５】
圧力部材制御部１５０は、あるタイミング（期間）での圧力部材１３０による押出し圧力の付与と、別のタイミング（期間）での圧力部材１３０による押出し圧力の付与の解除と、を切り替える。ピエゾ素子を圧力部材１３０が含む場合には、電圧の付与の期間で圧力部材１３０による押出し圧力の付与を行わせ、電圧付与をしない期間で圧力部材１３０による押出し圧力の付与を行わせない。
【０１３６】
圧力部材１３０は、圧力付与のタイミングでは、押出しピン１２０を押し出す。押出しピン１２０が押し出されている期間においては、押出しピン１２０は、内部空間３に入り込む。入り込んだ押出しピン１２０は、接着剤に吐出圧力を付与できる。
【０１３７】
圧力部材１３０は、圧力付与以外のタイミングでは、押出しピン１２０を引き戻す。引き戻された押出しピン１２０の先端は、内部空間３から抜ける（完全に抜ける場合や部分的に抜ける場合との両方がある）。押出しピン１２０が引き戻されている期間においては、接着剤収容容器１１０の内部空間１１１から、ノズル１の内部空間３に接着剤が供給される。この繰り返しにより、接着剤の吐出サイクルが実現される。
【０１３８】
なお、接着剤の供給は、押出しピン１２０の押出しに伴っても行われる。
【０１３９】
電子部品接着用ディスペンサー１００は、電子部品を電子基板に実装するための接着剤を、正確かつ高速な繰り返しタイミングで吐出することができる。また、ノズル１の耐久性により、メンテナンスコストや負荷の低減、実装そのものの効率化を図ることもできる。
【０１４０】
図９は、本発明の実施の形態における吐出と非吐出のサイクルを示すタイミングチャートである。このタイミングチャートのように、圧力部材１３０の押出し圧力の付与と解除の繰り返しに基づいて、接着剤の吐出と非吐出とが繰り返される。
【０１４１】
実装装置において、電子基板の移動などと接着剤の吐出との相関関係に基づいて、このタイミングチャートのような繰り返しタイミングが決定される。圧力部材制御部１５０は、このタイミングチャートに合わせた制御を行なえばよい。
【０１４２】
なお、図９のタイミングチャートのように、一定サイクルだけではなく、変動するタイミングでの制御であってもよい。
【０１４３】
以上のように、実施の形態における電子部品接着用ディスペンサー１００は、高い耐久性を持ちながら、適切な量の接着剤を、高い正確性をもって吐出できる。結果として、高密度実装の実装部位での接着剤の塗布を確実にできる。
【０１４４】
以上、実施の形態で説明された電子部品接着用ディスペンサーは、本発明の趣旨を説明する一例であり、本発明の趣旨を逸脱しない範囲での変形や改造を含む。
【符号の説明】
【０１４５】
１    ノズル
２    本体部
３    内部空間
４    吐出用貫通孔
４１    注入入口
４２    吐出出口
１００    電子部品接着用ディスペンサー
１１０    接着剤収容容器
１１１    内部空間
１２０    押出しピン
１３０    圧力部材
１５０    圧力部材制御部
【要約】      （修正有）【課題】高い精度で狭小領域に最適量の接着剤を吐出できる電子部品接着用ディスペンサーを提供する。【解決手段】本発明の電子部品接着用ディスペンサー１００は、接着剤を収容する接着剤収容容器１１０と、接着剤収容容器の先端に備わるノズル１と、接着剤収容容器内部において上下移動可能な押出しピン１２０と、押出しピンに押出し圧力を加える圧力部材１３０と、を備えている。ノズルは、本体部と、本体部の内部に設けられて、接着剤が供給される内部空間１１１と、内部空間から本体部の先端に向けて設けられた吐出用貫通孔と、を備え、吐出用貫通孔は、内部空間からの接着剤が注入される注入入口と、内部空間からの接着剤を外部に吐出する吐出出口とを有し、内部空間に供給される接着剤は、押出しピンの押し出しで吐出圧力を受けて、注入入口に注入されて吐出用貫通孔を通過し、吐出出口から吐出される。【選択図】図１【図１】
0006961272.tif 000002
【図２】
0006961272.tif 000003
【図３】
0006961272.tif 000004
【図４】
0006961272.tif 000005
【図５】
0006961272.tif 000006
【図６】
0006961272.tif 000007
【図７】
0006961272.tif 000008
【図８】
0006961272.tif 000009
【図９】
0006961272.tif 000010